(57)【特許請求の範囲】
【請求項１】
素線が螺旋状に巻かれて成り動脈瘤内に充填される塞栓コイルであって、
大きな直径で巻かれた大径コイル部と該大径コイル部より小さな直径で巻かれた小径コイル部が当該塞栓コイルの長手方向に交互に複数個存在する第１コイル部と、
前記第１コイル部に連なり前記第１コイル部よりも平坦な表面を成して巻かれた第２コイル部と、を備え、
前記第２コイル部の前記長手方向における長さは、前記第１コイル部を成す前記大径コイル部と前記小径コイル部とを各１つ以上合わせた長さより長く、
前記第２コイル部の外径は前記第１コイル部の大径コイル部の最大外径と同じである、ことを特徴とする塞栓コイル。
【請求項２】
請求項１に記載された塞栓コイルにおいて、
前記塞栓コイルの先端に所定長さの第１コイル部が位置する、ことを特徴とする塞栓コイル。
【請求項３】
請求項１又は２に記載された塞栓コイルにおいて、
所定長さの前記第１コイル部と所定長さの前記第２コイル部が長手方向に繰り返し存在する、ことを特徴とする塞栓コイル。
【請求項４】
請求項２に記載された塞栓コイルにおいて、
前記塞栓コイル先端の前記第１コイル部に続く部分には、前記第１コイル部より長い長さの前記第２コイル部が設けられている、ことを特徴とする塞栓コイル。
【請求項５】
請求項１から４のいずれか一項に記載された塞栓コイルにおいて、
前記大径コイル部は、外面が球状の凸曲面を成すように巻かれている、ことを特徴とする塞栓コイル。
【請求項６】
請求項１から５のいずれか一項に記載された塞栓コイルにおいて、
前記小径コイル部は、外面が球状の凹曲面を成すように巻かれている、ことを特徴とする塞栓コイル。
【請求項７】
請求項１から６のいずれか一項に記載された塞栓コイルにおいて、
前記素線に対して前記第１コイル部と第２コイル部が形成されるように一次形状が付与された塞栓コイルのうち、前記塞栓コイルの先端の所定長さ部分に対してフレーム形成用の二次形状が更に付与されている、ことを特徴とする塞栓コイル。
【発明の詳細な説明】
【技術分野】
【０００１】
本発明は、動脈瘤の治療のために該動脈瘤内に充填される塞栓コイルに関する。
【背景技術】
【０００２】
従来から、動脈瘤の治療を行うために様々な治療方法が行われている。これらの中に、カテーテルを用いて動脈瘤の内部に塞栓コイルを導入して充填し、該塞栓コイルの存在によって血管内を流れる血液が該動脈瘤内に流入することを抑制し、該動脈瘤内に積極的に血栓を形成させて固めることによって該動脈瘤の破裂を防ぐことを目的とする治療方法がある。このような治療方法に使用される塞栓コイルとして特許文献１に記載されているもの等が挙げられる。  
この文献には、素線が大きな直径で巻かれた大径コイル部と小さな直径で巻かれた小径コイル部とが当該塞栓コイルの長手方向の全体にわたって交互に存在する表面が凸凹構造の塞栓コイルが記載されている。
【先行技術文献】
【特許文献】
【０００３】
【特許文献１】特許第４９６１３４９号公報
【発明の概要】
【発明が解決しようとする課題】
【０００４】
動脈瘤内への塞栓コイルの充填は、通常ほぼ以下のように行われる。即ち、カテーテルの先端から動脈瘤内に塞栓コイルが押し出されて導入され、最初に導入された部分が該動脈瘤の内面に沿ってリング状に湾曲してできる複数のリング状部分によってフレームが形成され、そのフレームで囲われた領域に後続の塞栓コイルが順次充填されて行く。  
前記特許文献１に記載されている従来の塞栓コイルは、大径コイル部と小径コイル部が長手方向の全体にわたって交互に存在する凸凹構造を有している。これに伴い、動脈瘤内へ塞栓コイルを導入して前記フレームを形成する際に、該フレーム形成の進行により動脈瘤内における前記リング状の部分の存在量が次第に増すので、前記大径コイル部が引っ掛かり易くなり、動脈瘤内においてフレームをスムースに形成しにくくなる場合がある。しかし、上記特許文献１には、その引っ掛かりの問題について考慮する記載は見当たらない。  
前記引っ掛かりが生じた場合は、カテーテルの先端から動脈瘤内に押し出した塞栓コイルを該カテーテル内に一部引き戻し、その引っ掛かりを解消させた後、再度塞栓コイルを押し出すことが行われる。この「引戻し再押出し」の回数が増えると、塞栓コイルの充填に時間が多く掛かってしまい、操作性も低くなるという問題が生じる。
【０００５】
また、フレームがある程度形成された状態においては、前記各リング状部分同士の接触位置（交差位置）において、前記凹凸構造の存在によって引っ掛かった状態になる部分ができ、該フレームの大きさも形状もほぼ定まった状態となり、当該フレームは安定化する。  
＜動脈瘤の容積拡大変形＞
しかし、動脈瘤は塞栓コイルの導入の進行とともに導入開始当初よりも容積が大きくなるように拡大変形する場合がある。動脈瘤のこの容積拡大変形に対しては、大きさも形状もほぼ定まった状態である前記フレームでは、追従することができず、該フレームの外側と動脈瘤の内面との間の空隙の領域が大きくなる。この空隙領域が大きくなると、動脈瘤内においてフレームの位置が不安定となる問題が生じる。
【０００６】
本発明の目的は、動脈瘤内に塞栓コイルによるフレームを形成する際に該フレームの形成をスムースに行え、且つ動脈瘤の前記容積拡大変形に対して追従することができる塞栓コイルを提供することにある。
【課題を解決するための手段】
【０００７】
上記課題を解決するため本発明の第１の態様に係る塞栓コイルは、素線が螺旋状に巻かれて成り動脈瘤内に充填される塞栓コイルであって、大きな直径で巻かれた大径コイル部と該大径コイル部より小さな直径で巻かれた小径コイル部が当該塞栓コイルの長手方向に交互に複数個存在する第１コイル部と、前記第１コイル部に連なり前記第１コイル部よりも平坦な表面を成して巻かれた第２コイル部と、を備えることを特徴とする。  
ここで、大径コイル部の「大きな直径」は、該大径コイル部の軸方向（塞栓コイルの長手方向）の全長に一様な寸法でもよいが、最大外径のコイルを有し軸方向に対称的に順次寸法が小さくなる構造が望ましい。また、「第１コイル部よりも平坦な表面を成して巻かれた第２コイル部」における「平坦な表面」とは、第２コイル部が一様な直径で巻かれて全体にわたって同径である構造に限らず、直径は一端側から他端側に細くなっている（傾斜）構造でもよく、直径は全体に渡って一様ではなくても該第２コイル部の表面が滑らかであればよい意味で使われている。  
また、第１コイル部と第２コイル部の存在割合は、動脈瘤のサイズや形状に対して適宜設定して用いられる。
【０００８】
動脈瘤内に塞栓コイルを導入する初期の段階で、該動脈瘤内にはフレームと称される塞栓コイルの外殻構造が形成される。該フレームの形成メカニズムはほぼ以下の通りである。塞栓コイルを動脈瘤内に導入すると塞栓コイルは動脈瘤内でリング状に湾曲した状態になって充填されて行く。  
この際、動脈瘤内には前記塞栓コイルのリング状部分が三次元的に複数個できて該動脈瘤内の内面に沿って位置した状態になる。そして該動脈瘤の内面に沿って位置した複数個のリング状部分は、後続の塞栓コイルの導入を円滑にすると共に、最終的な塞栓コイルの充填形態を決定する基礎となる外殻構造となり「フレーム」と称されている。このフレームは、湾曲する塞栓コイルの反発力（弾性力）によって外に拡がろうとする力が発生し、この力により動脈瘤の内面に沿って前記リング状部分が位置し保持された状態になる。
【０００９】
本態様は、大径コイル部と小径コイル部とが交互に複数存在することに基づく凸凹構造を表面に有する第１コイル部と、平坦な表面を成して巻かれた表面が平坦な円筒状構造の第２コイル部の両方を備えている。  
塞栓コイルを動脈瘤内に導入して該動脈瘤内でリング状に湾曲した状態の数個のリング状部分ができつつフレームが形成されていく際に、該フレーム形成の進行により前記リング状部分の存在量が増しても、本態様によれば、前記平坦な円筒状構造部分の存在により、前記引っ掛かりの生じる虞が少なくなり、以って動脈瘤内にフレームを形成する際に該フレームの形成を引っ掛かり少なくスムースに行うことができる。  
更に、フレームは該フレームが形成される段階で前記各リング状部分同士の接触位置（交差位置）において、前記凸凹構造の存在によって引っ掛かった状態になる部分ができる。その結果、その引っ掛かりによるアンカー効果が発生し、該アンカー効果によって前記フレームの構造（複数のリング状部分による三次元的構造）が安定する。  
＜動脈瘤の容積拡大変形に対して＞
この状態で、動脈瘤が塞栓コイルの導入の進行とともに導入開始当初よりも容積が大きくなる、即ち容積が拡大変形した際に、本態様によれば、前記フレームの構造を成す部分に平坦な円筒状構造（第２コイル部）部分が存在するので、前記引っ掛かり位置が該円筒状構造部分に沿って移動することが可能である。  
ここで、当該塞栓コイルにおける円筒状構造（第２コイル部）部分は凸凹構造（第１コイル部）部分よりも湾曲変形に対する反発力が大きい。この円筒状構造部分の反発力により、このフレームは外に拡がろうとする力が前記凸凹構造だけの従来の塞栓コイルよりも強く発生し、この力により前記引っ掛かり位置を該円筒状構造部分に沿って当該フレームを大きくする方向に移動させる。即ち、動脈瘤の前記容積拡大変形に追従して大きくなることができる。  
これにより、拡大変形した動脈瘤内において、フレームの位置が不安定となる虞を低減することができ、拡大変形した動脈瘤の内面に沿って前記リング状部分が位置し、フレームが動脈瘤内にしっかり保持された状態を実現することができる。
【００１０】
また、本態様によれば前記フレームは上記の如く動脈瘤内にしっかり保持された状態で形成されるので、後続の塞栓コイルを該動脈瘤内に更に充填して行く際に、前記フレームが動脈瘤内から外に出てしまう虞を低減することができる。  
また、本態様において、前記フレームが形成された段階で送り込まれる部分の当該塞栓コイルを前記円筒状構造の第２コイル部で構成することにより、前記フレーム内に向って後続の塞栓コイルを連続的に押し入れていく際に前記円筒状構造（第２コイル部）であるので引っ掛かり無く円滑に後続の塞栓コイルを押し入れることができる。
【００１１】
＜不整形な動脈瘤＞
動脈瘤には、その内面形状が一様ではなく部分的に凹んでいる部分を一つ以上有する不整形なものがある。  
本態様によれば、前記円筒状構造（第２コイル部）の存在により、フレームが形成される際に、該フレームを成す前記リング状部分の隙間を介して円筒状構造の第２コイル部は前記フレームの内側から外側に抵抗少なくはみ出ることができる。これにより、動脈瘤の形状が不整形でありフレームの外側に動脈瘤の内面との間に空隙領域が形成されやすい場合でも、該空隙領域に対して、前記第２コイル部が容易にはみ出して進入することが可能であるため、本態様の塞栓コイルは整った形状の動脈瘤だけでなく不整形な動脈瘤に対しても対応でき、該不整形な動脈瘤に対して容易に対応したフレームの形成を実現することができる。
【００１２】
本発明の第２の態様に係る塞栓コイルは、第１の態様の塞栓コイルにおいて、前記第２コイル部の外径は前記第１コイル部の大径コイル部の最大外径と同じであることを特徴とする。  
ここで、「最大外径と同じである」における「同じ」とは、本願明細書においては厳密に同じであることは要しない意味で使われている。即ち、塞栓コイルを後述するカテーテル内に送り込む際に塞栓コイルの直進性が実質的に確保される範囲であれば多少の外径の差異があっても、これらを包含する広い意味で「同じ」の語を使用している。
【００１３】
本態様によれば、当該塞栓コイルをカテーテル内に通して動脈瘤の発生部位まで送る際に、第２コイル部の外径が前記第１コイル部の大径コイル部の最大外径と同じであるので、第１コイル部と第２コイル部の双方をカテーテルの内面によって同様にガイドした状態で進行させることができる。これにより、塞栓コイルを直進性良く安定して送って前記動脈瘤の発生部位に至らせることができる。
【００１４】
本発明の第３の態様に係る塞栓コイルは、第１の態様又は第２の態様の塞栓コイルにおいて、前記塞栓コイルの先端に所定長さの第１コイル部が位置することを特徴とする。  
ここで「所定長さの第１コイル部」における「所定長さ」とは、動脈瘤の大きさや形状の違いを考慮し、前記フレームの形成に必要な長さを想定して設定されることが好ましい。
【００１５】
本態様によれば、塞栓コイルの先端に所定長さの第１コイル部が位置するので、動脈瘤内に最初に凸凹構造（第１コイル部）部分が導入されることになり、引っ掛かりの少ない状態でフレームの形成を開始することができる。  
また、動脈瘤内において塞栓コイルの先端部は前記フレームを成した状態において、凸凹構造による引っ掛かり状態になることができる。従って、当該塞栓コイルの先端部分のフレーム構造内における位置の安定性を向上することができる。
【００１６】
本発明の第４の態様に係る塞栓コイルは、第１の態様から第３の態様のいずれか一つの態様の塞栓コイルにおいて、所定長さの前記第１コイル部と所定長さの前記第２コイル部が長手方向に繰り返し存在することを特徴とする。  
ここで、第１コイル部と第２コイル部における「所定長さ」とは、その長手方向への繰り返しにおいて、同じ長さのものの繰り返えしに限定されない。即ち、異なる長さで第１コイル部と第２コイル部が繰り返し存在する構造でもよい。  
また、「所定長さの前記第２コイル部」における「所定長さ」とは、第１コイル部の前記所定長さより長い、短い、同じ、それらの二以上の組み合わせのいずれでもよい。
【００１７】
本態様によれば、前記凸凹構造部分（第１コイル部）と前記円筒状構造（第２コイル部）部分を該塞栓コイルの長手方向に繰り返し備えているので、該繰り返し存在する円筒状構造部分によって、動脈瘤内に塞栓コイルによるフレームを形成する際に該フレームの形成を一層引っ掛かり少なくスムースに行うことができる。  
また、フレームの構造を成す部分に繰り返し存在する前記円筒状構造部分によって、前記湾曲変形に対する反発力の大きい部位が該フレームの構造を成す部分に繰り返し存在する状態となる。これにより、動脈瘤の前記容積拡大変形に対して一層効果的に追従して大きくなることができる。
【００１８】
本発明の第５の態様に係る塞栓コイルは、第３の態様の塞栓コイルにおいて、前記塞栓コイル先端の前記第１コイル部に続く部分には、前記第１コイル部より長い長さの前記第２コイル部が設けられていることを特徴とする。  
ここで、第２コイル部が「第１コイル部より長い」における「長い」とは、本願明細書では、第２コイル部が第１コイル部より少し長いものから数倍以上長いものまで含む意味で使用している。更に、塞栓コイルの先端部分だけに第１コイル部が存在し、残りの部分が全て第２コイル部によって構成されている塞栓コイルも含む意味で使用している。
【００１９】
本態様によれば、動脈瘤内で引っ掛かりの少ない状態でフレームの形成が開始された後、円筒状の長尺な第２コイル部をスムースに送り込むことができる。また動脈瘤が不整形の程度が高く前記フレームの外方と動脈瘤の内面との間に前記空隙領域が形成されやすい場合でも、第２コイル部が長尺であることによって当該空隙領域に対しても塞栓コイルを行き渡らせることが可能になる。即ち、整った形状の動脈瘤だけでなく、不整形の程度の高い動脈瘤に対して塞栓コイルの良好な充填を実行することができる。
【００２０】
本発明の第６の態様に係る塞栓コイルは、第１の態様から第５の態様のいずれか一つの態様の塞栓コイルにおいて、前記大径コイル部は、外面が球状の凸曲面を成すように巻かれていることを特徴とする。
【００２１】
本態様によれば、前記大径コイル部は外面が球状の凸曲面を成すように巻かれているので、カテーテル内の塞栓コイルの移動が滑らかである。また、塞栓コイルがカテーテルから動脈瘤内に送り込まれて複数のリング状部分によって構成される前記フレームを形作る段階では、前記凸凹構造部分を有していても、当該動脈瘤の大きさと形状に対応したリング状部分を有するフレームが形成されるまでの途中の間は互いに引っ掛かりが少ない状態で塞栓コイルの導入が進行し、フレームがある程度形作られた段階では、前記フレームを成す各リング状部分同士の各接触位置において前記凸凹構造（第１コイル部）による係止作用によって互いに引っ掛かった状態になる。  
即ち、大径コイル部は外面が球状の凸曲面を成すことによって、フレームを形作る途中の段階（動的状態）では他の大径コイル部又は小径コイル部との引っ掛かりが少なく、フレームが形作られた状態（静的状態）では他の大径コイル部又は小径コイル部と引っ掛かった状態になり、当該フレームを安定した状態で効率的に形作ることができる。
【００２２】
本発明の第７の態様に係る塞栓コイルは、第１の態様から第６の態様のいずれか一つの態様の塞栓コイルにおいて、前記小径コイル部は、外面が球状の凹曲面を成すように巻かれていることを特徴とする。
【００２３】
本態様によれば、第１コイル部が動脈瘤内に進入して湾曲される際に、小径コイル部の外面が球状の凹曲面を成すように巻かれているので、一様な径の円筒状に巻かれている小径コイル部に比して抵抗を少なく当該第１コイル部を湾曲させることが可能になる。  
また、後続の塞栓コイルの充填が前記凹曲面の存在によって引っ掛かりの虞が少なくなって、より円滑に充填が実行されるようになる。
【００２４】
本発明の第８の態様に係る塞栓コイルは、第１の態様から第７の態様のいずれか一つの態様の塞栓コイルにおいて、前記素線に対して前記第１コイル部と第２コイル部が形成されるように一次形状が付与された塞栓コイルのうち、前記塞栓コイルの先端の所定長さ部分に対してフレーム形成用の二次形状が更に付与されていることを特徴とする。
【００２５】
本態様によれば、塞栓コイルの先端の所定長さ部分に対してフレーム形成用の二次形状が付与されているので、該二次形状を付与した効果によって、一次形状の状態でカテーテル内を移動する塞栓コイルはカテーテルの先端から動脈瘤内へ進入した段階で自動的に前記二次形状に移行する。即ち、塞栓コイルの先端の所定長さ部分は、当該動脈瘤の内面に沿った状態のリング形状のフレームに円滑に移行する。そして、二次形状によって形作られる前記フレームを成す各リング状部分同士の接触位置（交差位置）において第１コイル部の前記凸凹構造によって互いに引っ掛かった状態になる部分ができ、該フレームが安定した状態で形成され保持されるようになる。  
また、前記二次形状は塞栓コイルの先端部分以外には付与されていないので、前記形成されたフレーム内に後続の塞栓コイルを押し入れる際に該フレーム内の一様でない形状の内部空間に対して、後続の塞栓コイルを柔軟に適合させて湾曲した状態で塞栓コイルの導入を実行することができる。
【図面の簡単な説明】
【００２６】
【図１】塞栓コイルを使用したカテーテル治療の概要を表す説明図。
【図２】本発明の実施形態１を表す図で、塞栓コイルの一次形状を示す側面図。
【図３】本発明の実施形態１を表す図で、塞栓コイルの二次形状を示す側面図。
【図４】本発明の実施形態１を表す図で、導入開始前の塞栓コイルを示す説明図。
【図５】本発明の実施形態１を表す図で、フレーム形成を説明する説明。
【図６】本発明の実施形態１を表す図で、不整形な動脈瘤内へのフレーム形成を説明する図。
【図７】本発明の実施形態２を表す図で、塞栓コイルの一次形状を示す側面図。
【図８】本発明の実施形態２を表す図で、塞栓コイルの二次形状を示す側面図。
【図９】本発明の実施形態２を表す図で、導入開始前の塞栓コイルを示す説明図。
【図１０】本発明の実施形態２を表す図で、フレーム形成を説明する図。
【図１１】本発明の実施形態２を表す図で、フレーム形成から更に塞栓コイルの導入を進めた状態を示す説明図。
【図１２】本発明の実施形態２を表す図で、不整形な動脈瘤内へのフレーム形成を説明する図。
【図１３】本発明の実施形態２を表す図で、不整形な動脈瘤内へのフレーム形成から更に塞栓コイルの導入を進めた状態を示す説明図。
【図１４】本発明の実施形態２を表す図で、充填完了後の塞栓コイルの充填状態の一例を示す模式図。
【図１５】本発明の実施形態１を表す図で、充填完了後の塞栓コイルの充填状態の一例を示す模式図。
【図１６】本発明の実施形態３を表す図で、塞栓コイルの一次形状を示す側面図。
【図１７】本発明の実施形態４を表す図で、塞栓コイルの一次形状を示す側面図。
【図１８】本発明の実施形態５を表す図で、塞栓コイルの一次形状を示す側面図。
【発明を実施するための形態】
【００２７】
以下に、本発明の実施形態に係る塞栓コイルについて、添付図面を参照して詳細に説明する。  
尚、以下の説明では、最初に図１に基づいて塞栓コイルを使用したカテーテル治療の概要について説明する。次に、図２及び図３に基づいて本発明の実施形態１に係る塞栓コイルの具体的構成について説明し、その後、図４〜図５に基づいて当該塞栓コイルを使用して動脈瘤内に塞栓コイルを導入して行く工程を説明する。  
続いて、図６に基づいて、不整形な動脈瘤内に塞栓コイルを導入する場合を説明する。
【００２８】
次に、図７及び図８に基づいて本発明の実施形態２に係る塞栓コイルの具体的構成について説明し、その後、図９〜図１１に基づいて当該塞栓コイルを使用して動脈瘤内に塞栓コイルを導入して行く工程を３段階に分けて説明する。  
続いて、図１２及び図１３に基づいて、不整形な動脈瘤内に塞栓コイルを導入する場合を説明する。  
図１４に基づいて、実施形態２について充填完了後の塞栓コイルの充填状態の一例を説明する。図１５に基づいて、実施形態１について充填完了後の塞栓コイルの充填状態の一例を説明する。
【００２９】
更に、図１６から図１８に基づいて本発明の実施形態３、実施形態４、実施形態５に係る塞栓コイルの構成を前記実施形態１との差異を中心に説明し、最後にこれらの実施形態と構成を異ならせた他の実施形態について言及する。
【００３０】
◆◆◆実施形態１（図１〜図６参照）◆◆◆
（１）塞栓コイルを使用したカテーテル治療の概要（図１参照）
塞栓コイル１は、動脈瘤Ａの破裂を防止する目的でカテーテル３を使用して行う動脈瘤治療において使用される。具体的には、例えば動脈瘤Ａが人体Ｈの脳動脈Ｂの分岐部Ｃで発症した場合には、図１に表すように、足の付け根Ｅにカテーテル３を挿入するための挿入口Ｆを開け、足の付け根Ｅの大腿動脈から一例として直径２ｍｍ程度のカテーテル３を挿入する。  
また、血管内に造影剤を注入し、Ｘ線による透視画像を見ながらカテーテル３を動脈瘤Ａが生じている部位の動脈瘤Ａの内部に少し入り込んだ位置に導く。そして、このカテーテル３内に本発明の塞栓コイル１を挿入し、カテーテル３の内壁に添わせてカテーテル３の先端に導き、該先端の開口から押し出して動脈瘤Ａ内に塞栓コイル１の先端部を至らせる。以下、この塞栓コイル１を押し出す操作をして塞栓コイル１を動脈瘤Ａ内に導入して充填して行く。  
尚、動脈瘤には前記分岐部Ｃ以外の非分岐部にできる嚢状動脈瘤と解離性動脈瘤等があり、これらの動脈瘤にも当該塞栓コイル１による治療を行うことができる。
【００３１】
（２）塞栓コイルの具体的構成（図２及び図３参照）
本実施形態の塞栓コイル１は、素線２を螺旋状に巻くことによって形成され、最大外径をＤ１として巻かれた大きな直径の大径コイル部７と該大径コイル部７より小さな直径Ｄ２で巻かれた小径コイル部９が当該塞栓コイル１の長手方向Ｙに交互に複数個存在する第１コイル部５と、この第１コイル部５に連なり該第１コイル部５よりも平坦な表面を成して巻かれた第２コイル部１５と、を備えることによって基本的に構成されている。  
第１コイル部５は、大径コイル部７と小径コイル部９とが交互に複数存在することに基づく凸凹構造を表面に有する。第２コイル部１５は、本実施形態では、一様な直径Ｄ３で巻かれた表面が平坦な円筒状構造である。ここで、大径コイル部７の「大きな直径」は該大径コイル部７の軸方向（塞栓コイル１の長手方向Y）の全長に一様な大きさでもよいが、図２に表したように、最大外径のコイルを有し軸方向に対称的に順次寸法が小さくなる構造が望ましい。
【００３２】
そして、本実施形態に係る塞栓コイル１Ａは、所定長さＬ１の第１コイル部５と所定長さＬ２の第２コイル部１５が長手方向に繰り返し存在する構造である。  
第１コイル部５と第２コイル部１５の存在割合は、動脈瘤のサイズや形状に対して適宜設定されるが、ここでは、図３に表したように、動脈瘤Ａ内に形成されるフレーム２３が前記第１コイル部５と第２コイル部１５とが複数組存在する状態で設定されている。図３においては、第１コイル部５の所定長さＬ１は第２コイル部１５の所定長さＬ２より大きいＬ１＞Ｌ２に形成されているが、これに限定されない。逆の関係でもよいし、同じ長さでもよい。
【００３３】
本実施形態では、図２に表したように、第１コイル部５の一部を構成する大径コイル部７は、一例として外面が球状の凸曲面１７を成すように形成されており、第１コイル部５の他部を構成する小径コイル部９は、一例として長手方向Ｙに直線的に延びる円筒状に形成されている。  
一方、第２コイル部１５は、前記第１コイル部５の大径コイル部９の最大外径Ｄ１と同じ外径Ｄ３で一例として形成されており、長手方向Ｙに直線的に延びる円筒状構造に形成されている。  
該第２コイル部１５の第１コイル部５との連なり部分は、図２及び図３に表した構造おいては、前記小径コイル部９に連なっているので、両者の境部分に直径Ｄ２と直径Ｄ３による段差ができている。第２コイル部１５の前記連なり部分を前記大径コイル部５の最大外径Ｄ１の部分に連なるように設けることで、前記段差を無くすことができる。
【００３４】
尚、このようにして構成される塞栓コイル１Ａの材料としては、素線２の線径ｄが１５μｍ〜１００μｍ、好ましくは３０μｍ〜７５μｍの白金、タングステン或いはステンレス製の線材が一例として適用できる。そして、これらの材料は腐食に強く、適度な直進性と柔軟性を兼ね備えているから、該塞栓コイル１Ａがカテーテル３内を移動するときは適度な直進性を保って滑らかに移動し、該塞栓コイル１Ａが動脈瘤Ａ内に導入されたときには、その柔軟性が発揮されて滑らかに湾曲して充填されて行く。
【００３５】
また、第１コイル部５の小径コイル部９の外径Ｄ２としては、０．０６ｍｍ〜０．４０ｍｍ、好ましくは０．１２ｍｍ〜０．３０ｍｍが採用でき、第１コイル部５の最大外径Ｄ１と前記第２コイル部１５の外径Ｄ３としては、上記小径コイル部９の外径Ｄ２より大きく、カテーテル３内で滑らかな移動が可能な範囲である一例として０．２ｍｍ〜０．５ｍｍ、好ましくは０．２５ｍｍ〜０．４７ｍｍに設定する。  
また、図２ではカテーテル３内を移動する際の一次形状の塞栓コイル１Ａを図示しているが、図３に表すように当該動脈瘤Ａの大きさや形状に合わせてフレーム２３の形成を容易にするために、更に大きなコイル径（例えば３ｍｍ〜３０ｍｍ）の二次形状を予め付与するようにしてもよい。尚、該二次形状の付与は省いても良く、本実施形態の塞栓コイル１Ａでは二次形状を付与しなくてもフレーム２３をスムースに形成することができることを確認している。
【００３６】
（３）塞栓コイルの導入の工程（図４〜図５参照）
次に、本実施形態に係る塞栓コイル１Ａを使用して動脈瘤Ａ内に塞栓コイル１Ａを導入して行く工程を、（Ａ）導入開始の直前、（Ｂ）フレームの形成の２段階に分けて説明する。
【００３７】
(Ａ)導入開始の直前（図４参照）
塞栓コイル１Ａの導入を行う場合には、準備作業として前述した（１）の塞栓コイルを使用したカテーテル治療の概要で説明したように、カテーテル３を人体Ｈに設置してカテーテル３の先端が図示のように動脈瘤Ａの内部に至るようにする。次に、設置したカテーテル３内に外部から塞栓コイル１Ａの長手方向Ｙの先端Ｙ１を挿入し、カテーテル３の内壁面に添わせて前記動脈瘤Ａに向けて移動させる。  
この際、本実施形態に係る塞栓コイル１Ａは、先に挿入される第１コイル部５の大径コイル部７が球状の凸曲面１７によって形成されているので、カテーテル３内への塞栓コイル１Ａの挿入がスムースに行える。また、本実施形態に係る塞栓コイル１Ａの第１コイル部５における大径コイル部７と前記第２コイル部１５の外径が同じであるので、その外周がガイドとして機能し、該塞栓コイル１Ａのカテーテル３内での直進性を保つことができ、これにより塞栓コイル１Ａを円滑に移動させることが可能である。そして、塞栓コイル１Ａの先端Ｙ１をカテーテル３の先端開口部から突出させて前述した動脈瘤Ａの内部に進入させれば塞栓コイル１Ａの導入に先立つ準備作業が完了する。
【００３８】
(Ｂ)フレームの形成(図５参照)
前記準備作業の終了後、塞栓コイル１Ａの導入操作を行って、塞栓コイル１Ａのカテーテル３内への押し込みを進める。カテーテル３の先端開口から送り出された塞栓コイル１Ａは動脈瘤Ａの内部深くに導入され、塞栓コイル１Ａの先端Ｙ１は例えば動脈瘤Ａの奥部側の内壁面に最初に接触し湾曲しつつ手前側或いは側方に向って繰り出される。  
そして、手前側或いは側方に向って繰り出された塞栓コイル１Ａの先端部分は、当該部位の動脈瘤Ａの内面に接触して更に湾曲した状態で折り返されてリング状部分２１が形成される。  
更に、塞栓コイル１Ａの導入が進むと、図５に表したように、複数のリング状部分２１が形成され、これら複数のリング状部分２１によって後続の塞栓コイル１Ａを導入する際の外殻部材となるフレーム２３が形成されていく。ここで、フレーム２３を成す複数のリング状部分２１における第１コイル部５と第２コイル部１５の存在量は、動脈瘤のサイズや形状に対して適宜設定して用いることが好ましい。
【００３９】
以上に説明したように、本実施形態に係る塞栓コイル１Ａによれば、該塞栓コイル１Ａを動脈瘤Ａ内に導入して動脈瘤Ａ内でリング状に湾曲した状態の数個のリング状部分２１ができつつフレーム２３が形成されていく際に、該フレーム２３形成の進行によりリング状部分２１の存在量が増しても、本実施形態によれば、前記平坦な円筒状構造（第２コイル部１５）部分の存在により、前記引っ掛かりの生じる虞が少なくなり、以って動脈瘤Ａ内にフレーム２３を形成する際に該フレーム２３の形成を引っ掛かり少なくスムースに行うことができる。
【００４０】
更に、フレーム２３は該フレーム２３が形成される段階で各リング状部分２１同士の接触位置（交差位置）において、前記凸凹構造（第１コイル部５）の存在によって引っ掛かった状態になる部分ができる。その結果、その引っ掛かりによるアンカー効果が発生し、該アンカー効果によって前記フレーム２３の構造、即ち複数のリング状部分２１による三次元的構造が安定する。
【００４１】
＜動脈瘤の容積拡大変形に対して＞
この状態で、動脈瘤Ａが塞栓コイル１Ａの導入の進行とともに導入開始当初よりも容積が拡大変形した場合には、本実施形態によれば、フレーム２３の構造を成す部分に平坦な円筒状構造（第２コイル部１５）部分が存在するので、前記引っ掛かり位置が該円筒状構造部分に沿って移動することが可能である。  
ここで、当該塞栓コイル１Ａにおける円筒状構造（第２コイル部１５）部分は凸凹構造（第１コイル部５）部分よりも湾曲変形に対する反発力が大きい。この円筒状構造部分の反発力により、このフレーム２３は外に拡がろうとする力が、前記凸凹構造だけの従来の塞栓コイルよりも強く発生し、この力により前記引っ掛かり位置を該円筒状構造部分に沿って当該フレーム２３を大きくする方向に移動させる。即ち、フレーム２３は動脈瘤Ａの前記容積拡大変形に追従して大きくなることができる。これにより、拡大変形した動脈瘤Ａ内において、フレーム２３の位置が不安定となる虞を低減することができ、拡大変形した動脈瘤Ａの内面に沿って前記リング状部分２１が位置し、フレーム２３が動脈瘤Ａ内にしっかり保持された状態を実現することができる。  
また、本実施形態においては、フレームの構造を成す部分に前記円筒状構造部分が繰り返し存在するので、前記湾曲変形に対する反発力の大きい部位が該フレームの構造を成す部分に繰り返し存在する状態となる。これにより、動脈瘤の前記容積拡大変形に対して一層効果的に追従して大きくなることができる。
【００４２】
また、本実施形態ではフレーム形成用の二次形状が更に塞栓コイル１Ａの先端部分に付与されているので、当該二次形状に復帰しようとする弾性力が働いて一層円滑にリング状部分２１が形成される。  
尚、二次形状が付与されていなくても塞栓コイル１Ａ自体は動脈瘤Ａ内でその内面に沿って湾曲する力を受けるので、その湾曲する力を受けた塞栓コイルの反発力によって外に拡がろうとする力が発生し、この力により動脈瘤Ａの内面に沿って前記リング状部分２１が位置し保持された状態になる。即ち、二次形状が付与されていなくてもリング状部分２３が容易に形成される。
【００４３】
（４）不整形な動脈瘤に塞栓コイルを充填する場合（図６参照）
次に、図６に表すように動脈瘤Ａが不整形であるため、動脈瘤Ａ内に形成したフレーム２３の外面と動脈瘤Ａの内面との間に空隙領域２９が形成される場合の当該塞栓コイル部１Ａの導入の工程を説明する。
【００４４】
動脈瘤Ａが不整形である場合には、図示のような空隙領域２９が、リング状部分２１によって形成されるフレーム２３の外面と動脈瘤Ａの内面との間に形成される場合がある。  
本実施形態では、このような場合でも円筒状構造（第２コイル部１５）部分によって引っ掛かりの少ないスムースな導入が可能であるので、該円筒状構造（第２コイル部１５）部分は形成されつつあるフレーム２３のリング状部分２１の隙間２５を通って前記空隙領域２９に至ることができる。
【００４５】
上記の通り、円筒状構造（第２コイル部１５）部分は、前記リング状部分２１の隙間２５を通って前記空隙領域２９とフレーム２３の内部空隙２７とに滑らかに行き渡ることができる。これにより、円筒状構造（第２コイル部１５）部分はフレーム２３の内部空間２７だけでなく、前記空隙領域２９にも進入してこれらの内部空間２７と空隙領域２９の双方を埋めるように導入される。
【００４６】
本実施形態によれば、前記円筒状構造（第２コイル部１５）の存在により、フレーム２３が形成される際に、該フレーム２３を成す前記リング状部分２１の隙間２５を介して円筒状構造（第２コイル部１５）部分は、前記フレーム２３の内側から外側に抵抗少なくはみ出ることができる。これにより、動脈瘤Ａの形状が不整形でありフレーム２３の外側に動脈瘤Ａの内面との間に空隙領域２９が形成されやすい場合でも、該空隙領域２９に対して、前記円筒状構造（第２コイル部１５）部分が容易にはみ出して進入することが可能であるため、整った形状の動脈瘤だけでなく不整形な動脈瘤に対しても容易に対応したフレーム２３の形成を実行することができる。
【００４７】
◆◆◆実施形態２（図７〜図１２参照）◆◆◆
（１）塞栓コイルの具体的構成（図７及び図８参照）
実施形態２に係る塞栓コイル１Ｂは、前述した実施形態１に係る塞栓コイル１Ａの第１コイル部５と第２コイル部１５との繰り返し構造に代えて、塞栓コイル１Ｂの先端に第１コイル部５が位置し、それに連なるすべてが第２コイル部１５で構成されたものである。  
本実施形態に係る塞栓コイル１Ｂは、該塞栓コイル１Ｂの長手方向Ｙの先端Ｙ１側に所定長さＬ１の第１コイル部５が一つ配置されており、該第１コイル部５の終端から前記塞栓コイル１Ｂの長手方向Ｙの終端Ｙ２にかけての部位に所定長さＬ２の第２コイル部１５が同じく一つ配置されている。  
ここで、「所定長さＬ１の第１コイル部５」における「所定長さＬ１」は、後述するフレーム２３を成す部分として想定される長さを考慮して設定することが好ましい。フレーム２３を成す部分には第２コイル部１５も一部含まれる状態が好ましい。
【００４８】
また、図７ではカテーテル３内を移動する際の一次形状の塞栓コイル１Ｂを図示しているが、図８に表すように当該動脈瘤Ａの大きさや形状に合わせてフレーム２３の形成を容易にするために、更に大きなコイル径（例えば３ｍｍ〜３０ｍｍ）の二次形状を予め付与するようにしてもよい。尚、該二次形状の付与は省いても良いことは実施形態１と同様である。  
塞栓コイル１Ｂの第１コイル部５と第２コイル部１５の具体的構成は前述した実施形態１に係る塞栓コイル１Ａのものと同様であるので、ここでの詳細な説明は省略する。
【００４９】
（２）塞栓コイルの導入の工程（図９〜図１１参照）
次に、本実施形態に係る塞栓コイル１Ｂを使用して動脈瘤Ａ内に塞栓コイル１Ｂを導入して行く工程を、（Ａ）導入開始の直前、（Ｂ）フレームの形成開始、（Ｃ）フレーム形成から更に塞栓コイルの導入を進めた状態の３段階に分けて説明する。
【００５０】
（Ａ）導入開始の直前（図９参照）
カテーテル３内に外部から塞栓コイル１Ｂの長手方向Ｙの先端Ｙ１を挿入し、カテーテル３の内壁面に添わせて前記動脈瘤Ａに向けて移動させる。  
この際、本実施形態に係る塞栓コイル１Ｂは、先端に第１コイル部５が位置し、それに連なるすべてが第２コイル部１５で構成されているので、カテーテル３内を進行する際に、第２コイル部１５の外周がガイドとして機能を効果的に発揮し、該塞栓コイル１Ｂのカテーテル３内での直進性を一層高めることができる。
【００５１】
(Ｂ)フレームの形成(図１０参照)
カテーテル３の先端開口から送り出された塞栓コイル１Ｂは動脈瘤Ａの内部深くに導入され、塞栓コイル１Ｂの先端Ｙ１は例えば動脈瘤Ａの奥部側の内壁面に最初に接触し湾曲しつつ手前側或いは側方に向って繰り出される。  
そして、手前側或いは側方に向って繰り出された塞栓コイル１Ｂの先端部分は、当該部位の動脈瘤Ａの内面に接触して更に湾曲した状態で折り返されてリング状部分２１が形成される。  
更に、塞栓コイル１Ｂの導入が進むと、図１０に表したように、複数のリング状部分２１が形成され、これら複数のリング状部分２１によって後続の塞栓コイル１Ｂを導入する際の外殻部材となるフレーム２３が形成されていく。図１０に表したように、本実施形態においては、当初は凸凹構造（第１コイル部５）だけでフレーム２３が形成されていく点で実施形態１と異なるが、この段階では、動脈瘤Ａ内におけるリング状部分２１の存在量が少ないので、前記引っ掛かりにより導入操作に障害を来す虞は少ない。
【００５２】
そして、本実施形態では図８に表す二次形状が更に塞栓コイル１Ｂの第１コイル部５に付与されているので、当該二次形状に復帰しようとする弾性力が働いて一層円滑にリング状部分２１が形成される。  
尚、二次形状が付与されていなくても塞栓コイル１Ａ自体は動脈瘤Ａ内でその内面に沿って湾曲する力を受けるので、その湾曲する力を受けた塞栓コイルの反発力によって外に拡がろうとする力が発生し、この力により動脈瘤の内面に沿って前記リング状部分が位置し固定された状態になる。即ち、二次形状が付与されていなくてもリング状部分が容易に形成される。  
そして、フレーム２３を成す各リング状部分２１の互いの交差位置において、第１コイル部５の前記凸凹構造によって奏される係止作用が働き、即ちアンカー効果が出て、解ける虞の少ない安定した状態のフレーム２３が円滑に形成される。
【００５３】
(Ｃ)第２コイル部の導入（図１１参照）
前記第１コイル部５の導入が完了すると、後続の第２コイル部１５の導入が開始される。第２コイル部１５は凸凹の少ない外径Ｄ３が一様な円筒状であるため、引っ掛かりの少ない円滑な導入が実行され、図１１に表したように前記フレーム２３のリング状部分２１の隙間２５やフレーム２３の内部空間２７を密に埋めてフレーム２３を完成させていく。
【００５４】
フレーム２３が完成した後は、後続の第２コイル部１５が抵抗少なく、先に導入されている塞栓コイルの部分による小さな隙間を押し広げて動脈瘤Ａ内の隅々まで進入することができる。これにより、充填率を向上することができる。  
本実施形態２では、当該動脈瘤Ａ内に必要な量の塞栓コイル１Ｂが導入され充填されたら、図示しない適宜の離脱機構等を使用して塞栓コイル１Ｂの第２コイル部１５の適所を切断するように構成されている。切断後は、充填に使用されなかった残りの塞栓コイル１Ｂとカテーテル３を引き抜いて人体Ｈから取り外す。  
そして、塞栓コイル１Ａが充填された動脈瘤Ａ内では、該塞栓コイル１Ａの存在によって血管内を流れる血液の流入が抑制され、該動脈瘤Ａ内に積極的に血栓が形成されて固まることによって動脈瘤Ａの破裂が抑制される。  
尚、塞栓コイルとしては、フレーム２３の形成に必要な長さにしておき、フレームが形成された後は、別体の他の塞栓コイルを前記フレーム内に向けて導入するようにして、前記切断処理を必要としないものでもよいことは勿論である。
【００５５】
以上に説明したように、本実施形態に係る塞栓コイル１Ｂによれば、該塞栓コイル１Ｂを動脈瘤Ａ内に導入して動脈瘤Ａ内でリング状に湾曲した状態の数個のリング状部分２１ができつつフレーム２３が形成されていく際に、前記平坦な円筒状構造（第２コイル部１５）部分の存在により、前記引っ掛かりの生じる虞が少なくなり、以って動脈瘤Ａ内にフレーム２３を形成する際に該フレーム２３の形成を引っ掛かり少なくスムースに行うことができる。
【００５６】
更に、フレーム２３は該フレーム２３が形成される段階で各リング状部分２１同士の接触位置（交差位置）において、前記凸凹構造（第１コイル部５）の存在によって引っ掛かった状態になる部分ができる。その結果、その引っ掛かりによるアンカー効果が発生し、該アンカー効果によって前記フレーム２３の構造、即ち複数のリング状部分２１による三次元的構造が安定する。
【００５７】
＜動脈瘤の容積拡大変形に対して＞
この状態で、動脈瘤Ａが塞栓コイル１Ｂの導入の進行とともに導入開始当初よりも容積が拡大変形した場合には、本実施形態によれば、フレーム２３の構造を成す部分に平坦な円筒状構造（第２コイル部１５）部分が存在するので、前記引っ掛かり位置が該円筒状構造部分に沿って移動することが可能である。  
ここで、当該塞栓コイル１Ａにおける円筒状構造（第２コイル部１５）部分の湾曲変形に対する大きい反発力により、このフレーム２３は外に拡がろうとする力が、前記凸凹構造だけの従来の塞栓コイルよりも強く発生し、この力により前記引っ掛かり位置を該円筒状構造部分に沿って当該フレーム２３を大きくする方向に移動させる。即ち、フレーム２３は動脈瘤Ａの前記容積拡大変形に追従して大きくなることができる。これにより、拡大変形した動脈瘤Ａ内において、フレーム２３の位置が不安定となる虞を低減することができ、拡大変形した動脈瘤Ａの内面に沿って前記リング状部分２１が位置し、フレーム２３が動脈瘤Ａ内にしっかり保持された状態を実現することができる。
【００５８】
（３）不整形な動脈瘤に塞栓コイルを充填する場合（図１２及び図１３参照）
次に、図１２に表すように動脈瘤Ａが不整形であるため、動脈瘤Ａ内に形成したフレーム２３の外面と動脈瘤Ａの内面との間に空隙領域２９が形成される場合の当該塞栓コイル部１Ｂの導入の工程を説明する。
【００５９】
本実施形態では、円筒状構造（第２コイル部１５）部分によって引っ掛かりの少ないスムースな導入が可能であるので、該円筒状構造（第２コイル部１５）部分は形成されつつあるフレーム２３のリング状部分２１の隙間２５を通って前記空隙領域２９に至ることができる（図１３）。
【００６０】
上記の通り、円筒状構造（第２コイル部１５）部分は、前記リング状部分２１の隙間２５を通って前記空隙領域２９とフレーム２３の内部空隙２７とに滑らかに行き渡ることができる。これにより、円筒状構造（第２コイル部１５）部分はフレーム２３の内部空間２７だけでなく、前記空隙領域２９にも進入してこれらの内部空間２７と空隙領域２９の双方を埋めるように導入される。
【００６１】
本実施形態によれば、前記円筒状構造（第２コイル部１５）の存在により、フレーム２３が形成される際に、該フレーム２３を成す前記リング状部分２１の隙間２５を介して円筒状構造（第２コイル部１５）部分は、前記フレーム２３の内側から外側に抵抗少なくはみ出ることができる。これにより、動脈瘤Ａの形状が不整形でありフレーム２３の外側に動脈瘤Ａの内面との間に空隙領域２９が形成されやすい場合でも、該空隙領域２９に対して、前記円筒状構造（第２コイル部１５）部分が容易にはみ出して進入することが可能であるため、整った形状の動脈瘤だけでなく不整形な動脈瘤に対しても容易に対応したフレーム２３の形成を実行することができる。
【００６２】
図１４は、本実施形態に係る塞栓コイル１Ｂの動脈瘤内への導入を、図１０の状態から後続の第２コイル部１５の導入および充填完了まで行った場合の充填状態を単純化して模式的に表したものである。  
動脈瘤Ａの内面に近い外側の領域に前記第１コイル部５を充填してできる該第１コイル部５が主として存在する一次充填層３１が形成され、該一次充填層３１の内側の領域に前記第２コイル部１５を充填してできる二次充填層３３が形成される。
【００６３】
尚、図１４は、塞栓コイル１Ｂが動脈瘤Ａ内に充填された状態の図面を解りやすくするために単純化して記載したものであり、一次充填層３１と二次充填層３３は実際はこのように単純な層状に分かれることは少ない。図１０に表した状態で更に隙間部分に導入が進むので、両者の層３１，３３の境界は勿論としてその存在領域は入り組んでいる。即ち、図１４は一次充填層３１と二次充填層３３が、おおよその傾向として層状に形成されることを説明したものである。  
このように、内側に位置する二次充填層３３が円筒状構造（第２コイル部１５）の充填で構成されると、該円筒状構造（第２コイル部１５の）の湾曲変形に対する強い反発力が得られ、フレーム２３部分は、動脈瘤の前記容積拡大変形に対して一層効果的に追従して大きくなることができる。
【００６４】
図１５は、前記実施形態１に係る塞栓コイル１Ａにおける第１コイル部５の長さをそれだけでフレーム２３を形成できる程度に長くし、第２コイル部１５は第１コイル部５と同程度の長さにして繰り返し構造とした塞栓コイル１Ａの動脈瘤内への導入を、導入開始から導入および充填完了まで行った場合の充填状態を単純化して模式的に表したものである。  
動脈瘤Ａの内面に近い外側の領域に、先端に位置する第１コイル部５を充填してできる該先端位置の第１コイル部５の長さに対応した存在量の一次充填層３１が主に形成され、該一次充填層３１の内側の領域に続く前記第２コイル部１５を充填してできる二次充填層３３が主に形成される。次に、二番目の第１コイル部５の長さに対応した存在量の一次充填層３１が主に形成され、該一次充填層３１の内側の領域に続く二番目の前記第２コイル部１５を充填してできる二次充填層３３が主に形成される。  
尚、図１５は前記繰り返し構造の塞栓コイル１Ａが動脈瘤Ａ内に充填された状態の図面を解りやすくするために単純化して記載したものであり、一次充填層３１と二次充填層３３は実際はこのように単純な層状に分かれることは少なく、両者の層３１，３３の境界は勿論として存在領域は入り組んでいる。即ち、図１５は一次充填層３１と二次充填層３３が、おおよその傾向として層状に形成されることを説明したものである。  
このように、動脈瘤Ａ内に一次充填層３１と二次充填層３３とが、おおよその傾向として繰り返す多重構造の塞栓コイル１Ｂの充填状態が形成され、充填状態がより安定し充填率の高い塞栓コイル１Ｂの充填状態が得られるようになる。
【００６５】
◆◆◆実施形態３（図１６参照）◆◆◆
実施形態３に係る塞栓コイル１Ｃは、前述した実施形態１に係る第１コイル部５と第２コイル部１５の順番を逆にして塞栓コイル１Ｃの長手方向Ｙの先端Ｙ１側に第２コイル部１５を配置し、その後方に第１コイル部５を配置し、以下塞栓コイル１Ｃの長手方向Ｙの終端Ｙ２にかけて第２コイル部１５、第１コイル部５の順番で繰り返すように配置した塞栓コイルである。
【００６６】
尚、塞栓コイル１Ｃの第１コイル部５と第２コイル部１５の具体的構成は前述した実施形態１に係る塞栓コイル１Ａ及び実施形態２に係る塞栓コイル１Ｂのものと同様であるので、ここでの詳細な説明は省略する。  
本実施形態によれば、最先端が第２コイル部１５であるので、第１コイル部５のようなそれ自体の引っ掛かりは期待できないが、その他の点においては、ほぼ同様の効果が得られる。
【００６７】
◆◆◆実施形態４（図１７参照）◆◆◆
実施形態４に係る塞栓コイル１Ｄは、前述した実施形態２に係る塞栓コイル１Ｂの第１コイル部５における球状の大径コイル部７の形状を二つの三角錐の底面を重ね合わせた、そろばん珠様の凸形状にした塞栓コイルである。  
尚、塞栓コイル１Ｄの第１コイル部５の小径コイル部９の具体的構成と第２コイル部１５の具体的構成は前述した実施形態１に係る塞栓コイル１Ａ及び実施形態２に係る塞栓コイル１Ｂのものと同様であるので、ここでの詳細な説明は省略する。  
そして、このようにして構成される本実施形態に係る塞栓コイル１Ｄによっても、前述した実施形態２に係る塞栓コイル１Ｂと同様の作用、効果が発揮される。
【００６８】
◆◆◆実施形態５（図１８参照）◆◆◆
実施形態５に係る塞栓コイル１Ｅは、前述した実施形態２に係る塞栓コイル１Ｂの第１コイル部５における長手方向Ｙに一様な円筒形状の小径コイル部１５の形状を変更して、小径コイル部１５の外面に球形の凹曲面１９が形成されるようにしたものである。  
尚、塞栓コイル１Ｅの第１コイル部５の大径コイル部７の具体的構成と第２コイル部１５の具体的構成は前述した実施形態２に係る塞栓コイル１Ｂと同様であるので、ここでの詳細な説明は省略する。
【００６９】
そして、このようにして構成される本実施形態に係る塞栓コイル１Ｅによっても、前述した実施形態２に係る塞栓コイル１Ｂと同様の作用、効果が発揮され、更に本実施形態にあっては、小径コイル部９の外面に形成された球状の凹曲面１９の作用で、実施形態２で採用した一様な径で巻かれた円筒状の小径コイル部９に比して塞栓コイル１Ｅの摺動抵抗が少なくなり、引っ掛かりの虞の少ない円滑な塞栓コイル１Ｅの導入が可能になる。また、湾曲し易さも一様な径Ｄ２のものに比して向上する。
【００７０】
［他の実施形態］
本発明に係る塞栓コイル１は、以上述べたような構成を有することを基本とするものであるが、本願発明の要旨を逸脱しない範囲内での部分的構成の変更や省略等を行うことも勿論可能である。
【００７１】
例えば、複数交互に配置される大径コイル部７と小径コイル部９のそれぞれの長さは、素線２の線径ｄや適用する動脈瘤Ａの大きさや形状の違い等によって適宜調整できる。  
また、大径コイル部７の形状は、前述の実施形態で述べた球形、そろばん珠形状に限らず、流線形状や円筒形状等、他の形状であってもよい。  
また、前記繰り返し構造において、第１コイル部５の長さＬ１及び第２コイル部１５の長さＬ２は、いずれも同じＬ１とＬ２にて繰り返す構造として説明したが、各Ｌ１が同じでは無く異なっていてもよく、同様に各Ｌ２も同じでは無く異なっていてもよい。  
また、前記実施形態５で設けた凹曲面１９は小径コイル部９の全長にわたって亘って設けられている他、大径コイル部７との境界部に設ける等、小径コイル部９の一部の範囲に設けることが可能である。また、凹曲面１９も前記大径コイル部７に適用した凸曲面１７と同様、球面に限らず、種々の形状の凹曲面にすることが可能である。  
この他、塞栓コイル部の先端部に付与した二次形状を省略し、一次形状のみが付与された塞栓コイルとすることも可能である。  
二次形状を付与する範囲は、先端部の第１コイル部５だけ、先端部の第２コイル部１５だけ、或いは両者に二次形状を付与しても良い。
【符号の説明】
【００７２】
１…塞栓コイル、２…素線、３…カテーテル、５…第１コイル部、
７…大径コイル部、９…小径コイル部、１５…第２コイル部、１７…凸曲面、
１９…凹曲面、２１…リング状部分、２３…フレーム、２５…隙間、
２７…内部空間、２９…空隙領域、３１…一次充填層、３３…二次充填層、
Ａ…動脈瘤、Ｂ…脳動脈、Ｃ…分岐部、Ｈ…人体、Ｅ…足の付け根、Ｆ…挿入口、
Ｙ…長手方向、Ｙ１…先端、Ｙ２…終端、Ｄ…直径（外径、コイル径）、
Ｌ…長さ、ｄ…線径
【図１】
0006418613.tif 000002
【図２】
0006418613.tif 000003
【図３】
0006418613.tif 000004
【図４】
0006418613.tif 000005
【図５】
0006418613.tif 000006
【図６】
0006418613.tif 000007
【図７】
0006418613.tif 000008
【図８】
0006418613.tif 000009
【図９】
0006418613.tif 000010
【図１０】
0006418613.tif 000011
【図１１】
0006418613.tif 000012
【図１２】
0006418613.tif 000013
【図１３】
0006418613.tif 000014
【図１４】
0006418613.tif 000015
【図１５】
0006418613.tif 000016
【図１６】
0006418613.tif 000017
【図１７】
0006418613.tif 000018
【図１８】
0006418613.tif 000019